(57)【要約】【課題】ＡＣ結合された一対のデータ伝送において、下り通信と合わせて上り通信として２種以上の信号の伝送が可能なデータ伝送装置およびデータ伝送方法を提供する。【解決手段】第１の送受信部は、第２の送受信部から伝送路を介して伝送される片相信号、正相および逆相の両相信号を受信して、受信信号の電圧差に応じて片相信号および両相信号を分離して判別し、判別結果に応じて送信データまたは参照クロック信号を選択するように選択制御信号を生成する信号受信部を含み、第２の送受信部は伝送路を伝送された参照クロック信号もしくは送信データに応じてクロック信号を生成するクロック再生回路を含み、生成しクロック信号の周波数が伝送路の信号周波数と異なるとき伝送路に要求信号を片相信号または同相信号として出力し、クロック信号の周波数が伝送路の信号周波数に相当する場合には、所定のデータを両相信号または片相信号として伝送路に出力する。【選択図】図１
2013162160.tif 000002
【特許請求の範囲】
【請求項１】
一対の信号線により形成され、当該信号線に直流成分を遮断し、伝送信号に基づく交流信号を通過させるキャパシタが接続された伝送路と、
上記伝送路を介して、送信クロック信号により設定された伝送レートで送信データを伝送する第１の送受信部と、
上記伝送路を介して受信した受信信号に基づき受信用クロック信号を再生し、上記第１の送受信部から伝送された送信データを受信する第２の送受信部と、を有し、
上記第１の送受信部は、
選択制御信号に応じて上記送信データまたは参照クロック信号のいずれかを選択して上記伝送路に出力する出力回路と、
上記第２の送受信部から上記伝送路を介して伝送される正相または逆相の片相信号、正相および逆相の両相信号を受信して、受信信号の電圧差に応じて片相信号および両相信号を分離して判別し、判別結果に応じて上記送信データまたは参照クロック信号を選択するように上記選択制御信号を生成して上記出力回路に出力する信号受信部と、を含み、
上記第２の送受信部は、
上記伝送路を伝送された上記参照クロック信号もしくは送信データに応じて、クロック信号を生成するクロック再生回路を含み、生成しクロック信号の周波数が上記伝送路の信号周波数と異なるとき、上記伝送路に要求信号を片相信号または同相信号として上記伝送路に出力し、
生成したクロック信号の周波数が上記伝送路の信号周波数に相当する場合には、所定のデータを両相信号または片相信号として上記伝送路に出力し、
上記片相信号および上記両相信号を同時並列的に上記伝送路に伝送可能である
データ伝送装置。
【請求項２】
上記第２の送受信部は、
上記要求信号を片相信号または同相信号として上記伝送路に出力し、
所定のデータを両相信号として上記伝送路に出力し、
上記第１の送受信部の上記信号受信部は、
受信信号の差電圧が閾値より大きい場合には、片相信号を受信し参照クロックの要求信号を受信したと判別して、上記送信データに代えて上記要求信号を選択するように上記選択制御信号を上記出力回路に出力し、
受信信号の差電圧が閾値以下の場合には、両相信号を受信したと判別して、上記送信データを選択するように上記選択制御信号を上記出力回路に出力する
請求項１記載のデータ伝送装置。
【請求項３】
上記第１の送受信部の上記信号受信部は、
同相信号を検出する同相信号検出部を含み、
上記同相信号検出部で同相信号を検出すると、上記第２の送受信部から伝送されたデータを出力する
請求項２記載のデータ伝送装置。
【請求項４】
上記第１の送受信部の信号受信部は、
片相信号を受信したと判別して参照クロックを選択するように上記選択制御信号を生成した場合、上記同相信号検出部で同相信号が検出された場合であっても、上記第２の送受信部から伝送されたデータの出力を停止する
請求項３記載のデータ伝送装置。
【請求項５】
上記第２の送受信部は、
上記片相信号のみ伝送する場合には、当該片相信号の振幅を大きくするバッファを含む
請求項１記載のデータ伝送装置。
【請求項６】
上記第２の送受信部は、
上記片相信号のみ伝送する場合には、当該片相信号のスルーレートを鈍らせるスルーレート調整部を含む
請求項１記載のデータ伝送装置。
【請求項７】
上記第２の送受信部は、
上記参照クロックの要求信号として、自伝送装置内のＰＬＬ回路の発振器のクロックまたはその分周クロックを伝送する
請求項１記載のデータ伝送装置。
【請求項８】
上記第２の送受信部は、
上記参照クロックの要求信号として、自伝送装置内のＰＬＬ回路の発振器とは個別の発振器のクロックまたはその分周クロックを伝送する
請求項１記載のデータ伝送装置。
【請求項９】
上記第２の送受信部は、
上記参照クロックの要求信号として、自伝送装置内のシステムクロックまたはその分周クロックを伝送する
請求項１記載のデータ伝送装置。
【請求項１０】
一対の信号線により形成され、当該信号線に直流成分を遮断し、伝送信号に基づく交流信号を通過させるキャパシタが接続された伝送路を介して、送信クロック信号により設定された伝送レートで送信データを伝送し、上記伝送路を伝送されてきた信号を受信する送受信部を有し、
上記送受信部は、
選択制御信号に応じて上記送信データまたは参照クロック信号のいずれかを選択して上記伝送路に出力する出力回路と、
上記伝送路を介して伝送される正相または逆相の片相信号、正相および逆相の両相信号を受信して、受信信号の電圧差に応じて片相信号および両相信号を分離して判別し、判別結果に応じて上記送信データまたは参照クロック信号を選択するように上記選択制御信号を生成して上記出力回路に出力する信号受信部と、を含む
データ伝送装置。
【請求項１１】
上記伝送路を伝送されてくる信号は、片相信号または同相信号の要求信号、または両相信号の所定のデータであり、
上記信号受信部は、
受信信号の差電圧が閾値より大きい場合には、片相信号を受信し参照クロックの要求信号を受信したと判別して、上記送信データに代えて上記要求信号を選択するように上記選択制御信号を上記出力回路に出力し、
受信信号の差電圧が閾値以下の場合には、両相信号を受信したと判別して、上記送信データを選択するように上記選択制御信号を上記出力回路に出力する
請求項１０記載のデータ伝送装置。
【請求項１２】
上記信号受信部は、
同相信号を検出する同相信号検出部を含み、
上記同相信号検出部で同相信号を検出すると、上記第２の送受信部から伝送されたデータを出力する
請求項１１記載のデータ伝送装置。
【請求項１３】
上記信号受信部は、
片相信号を受信したと判別して参照クロックを選択するように上記選択制御信号を生成した場合、上記同相信号検出部で同相信号が検出された場合であっても、上記第２の送受信部から伝送されたデータの出力を停止する
請求項１２記載のデータ伝送装置。
【請求項１４】
一対の信号線により形成され、当該信号線に直流成分を遮断し、伝送信号に基づく交流信号を通過させるキャパシタが接続された伝送路を介して受信した受信信号に基づき受信用クロック信号を再生し、上記伝送路を伝送された送信データを受信する送受信部を有し、
上記送受信部は、
上記伝送路を伝送された上記参照クロック信号もしくは送信データに応じて、クロック信号を生成するクロック再生回路を含み、生成しクロック信号の周波数が上記伝送路の信号周波数と異なるとき、上記伝送路に要求信号を片相信号または同相信号として上記伝送路に出力し、
生成したクロック信号の周波数が上記伝送路の信号周波数に相当する場合には、所定のデータを両相信号または片相信号として上記伝送路に出力し、
上記片相信号および上記両相信号を同時並列的に上記伝送路に伝送可能である
データ伝送装置。
【請求項１５】
上記送受信部は、
上記片相信号のみ伝送する場合には、当該片相信号の振幅を大きくするバッファを含む
請求項１４記載のデータ伝送装置。
【請求項１６】
上記送受信部は、
上記片相信号のみ伝送する場合には、当該片相信号のスルーレートを鈍らせるスルーレート調整部を含む
請求項１４に記載のデータ伝送装置。
【請求項１７】
一対の信号線により形成され、当該信号線に直流成分を遮断し、伝送信号に基づく交流信号を通過させるキャパシタが接続された伝送路を介して、送信クロック信号により設定された伝送レートで送信データを伝送する第１の送受信ステップと、
上記伝送路を介して受信した受信信号に基づき受信用クロック信号を再生し、上記第１の送受信部から伝送された送信データを受信する第２の送受信ステップと、を有し、
上記第１の送受信ステップは、
選択制御信号に応じて上記送信データまたは参照クロック信号のいずれかを選択して上記伝送路に出力する出力ステップと、
上記第２の送受信ステップにおいて上記伝送路を介して伝送される正相または逆相の片相信号、正相および逆相の両相信号を受信して、受信信号の電圧差に応じて片相信号および両相信号を分離して判別し、判別結果に応じて上記送信データまたは参照クロック信号を選択するように上記選択制御信号を生成する信号受信ステップと、を含み、
上記第２の送受信ステップは、
上記伝送路を伝送された上記参照クロック信号もしくは送信データに応じて、クロック信号を生成するクロック再生ステップを含み、生成しクロック信号の周波数が上記伝送路の信号周波数と異なるとき、上記伝送路に要求信号を片相信号または同相信号として上記伝送路に出力し、
生成したクロック信号の周波数が上記伝送路の信号周波数に相当する場合には、所定のデータを両相信号または片相信号として上記伝送路に出力し、
上記片相信号および上記両相信号を同時並列的に上記伝送路に伝送可能である
データ伝送方法。
【請求項１８】
一対の信号線により形成され、当該信号線に直流成分を遮断し、伝送信号に基づく交流信号を通過させるキャパシタが接続された伝送路を介して、送信クロック信号により設定された伝送レートで送信データを伝送し、上記伝送路を伝送されてきた信号を受信する送受信ステップを有し、
上記送受信ステップは、
選択制御信号に応じて上記送信データまたは参照クロック信号のいずれかを選択して上記伝送路に出力する出力ステップと、
上記伝送路を介して伝送される正相または逆相の片相信号、正相および逆相の両相信号を受信して、受信信号の電圧差に応じて片相信号および両相信号を分離して判別し、判別結果に応じて上記送信データまたは参照クロック信号を選択するように上記選択制御信号を生成する信号受信ステップと、を含む
データ伝送方法。
【請求項１９】
一対の信号線により形成され、当該信号線に直流成分を遮断し、伝送信号に基づく交流信号を通過させるキャパシタが接続された伝送路を介して受信した受信信号に基づき受信用クロック信号を再生し、上記伝送路を伝送された送信データを受信する送受信ステップを有し、
上記送受信ステップは、
上記伝送路を伝送された上記参照クロック信号もしくは送信データに応じて、クロック信号を生成するクロック再生ステップを含み、生成しクロック信号の周波数が上記伝送路の信号周波数と異なるとき、上記伝送路に要求信号を片相信号または同相信号として上記伝送路に出力し、
生成したクロック信号の周波数が上記伝送路の信号周波数に相当する場合には、所定のデータを両相信号または片相信号として上記伝送路に出力し、
上記片相信号および上記両相信号を同時並列的に上記伝送路に伝送可能である
データ伝送方法。
【発明の詳細な説明】
【技術分野】
【０００１】
本発明は、データ伝送装置およびデータ伝送方法、特にシリアルデータを高速に伝送するシリアルデータ伝送装置に関するものである。
【背景技術】
【０００２】
シリアルデータ伝送は、一本もしくは一対の伝送媒体で信号を伝送することができるので、省スペース性に優れ、また、多芯の信号伝送路で信号を伝送するときに生じるデータ間のスキュー（タイミングずれ）の問題がないので、長距離のデータ伝送に適している。
【０００３】
特許文献１および２には、下りデータと上り同相信号である参照クロック要求信号を同時に伝送するデータ伝送装置が記載されている。
このデータ伝送装置によれば、回路構成の簡単化および伝送路の省スペース化を図れ、広範囲なデータ伝送レートに対応でき、簡単な回路構成で高速なデータ伝送および参照クロック要求信号の伝送を実現できる利点がある。
【先行技術文献】
【特許文献】
【０００４】
【特許文献１】特開平１０-１４５４３６号公報
【特許文献２】特開平１１-９８１３０号公報
【発明の概要】
【発明が解決しようとする課題】
【０００５】
しかしながら、システムの多様化等により、受信器側からユーザー伝送などの上り通信が必要になる。さらに、伝送路が電源ショート（車載であればバッテリーショート）した際に大電流が流れてしまうのを防ぐために、伝送路をＡＣ結合するケースが増えてきており、上記技術では対応できなくなっている。
それは、ＡＣ結合した際に、結合後のデータはＤＣ情報を失うため、伝送できるパルス幅に限界があるため、２種類以上の同相信号を区別することは困難なためである。
【０００６】
本発明は、ＡＣ結合された一対のデータ伝送において、下り通信と合わせて上り通信として２種以上の信号の伝送が可能なデータ伝送装置およびデータ伝送方法を提供することにある。
【課題を解決するための手段】
【０００７】
本発明の第１の観点のデータ伝送装置は、一対の信号線により形成され、当該信号線に直流成分を遮断し、伝送信号に基づく交流信号を通過させるキャパシタが接続された伝送路と、上記伝送路を介して、送信クロック信号により設定された伝送レートで送信データを伝送する第１の送受信部と、上記伝送路を介して受信した受信信号に基づき受信用クロック信号を再生し、上記第１の送受信部から伝送された送信データを受信する第２の送受信部と、を有し、上記第１の送受信部は、選択制御信号に応じて上記送信データまたは参照クロック信号のいずれかを選択して上記伝送路に出力する出力回路と、上記第２の送受信部から上記伝送路を介して伝送される正相または逆相の片相信号、正相および逆相の両相信号を受信して、受信信号の電圧差に応じて片相信号および両相信号を分離して判別し、判別結果に応じて上記送信データまたは参照クロック信号を選択するように上記選択制御信号を生成して上記出力回路に出力する信号受信部と、を含み、上記第２の送受信部は、上記伝送路を伝送された上記参照クロック信号もしくは送信データに応じて、クロック信号を生成するクロック再生回路を含み、生成しクロック信号の周波数が上記伝送路の信号周波数と異なるとき、上記伝送路に要求信号を片相信号または同相信号として上記伝送路に出力し、生成したクロック信号の周波数が上記伝送路の信号周波数に相当する場合には、所定のデータを両相信号または片相信号として上記伝送路に出力し、上記片相信号および上記両相信号を同時並列的に上記伝送路に伝送可能である。
【０００８】
本発明の第２の観点のデータ伝送装置は、一対の信号線により形成され、当該信号線に直流成分を遮断し、伝送信号に基づく交流信号を通過させるキャパシタが接続された伝送路を介して、送信クロック信号により設定された伝送レートで送信データを伝送し、上記伝送路を伝送されてきた信号を受信する送受信部を有し、上記送受信部は、選択制御信号に応じて上記送信データまたは参照クロック信号のいずれかを選択して上記伝送路に出力する出力回路と、上記伝送路を介して伝送される正相または逆相の片相信号、正相および逆相の両相信号を受信して、受信信号の電圧差に応じて片相信号および両相信号を分離して判別し、判別結果に応じて上記送信データまたは参照クロック信号を選択するように上記選択制御信号を生成して上記出力回路に出力する信号受信部と、を含む。
【０００９】
本発明の第３の観点のデータ伝送装置は、一対の信号線により形成され、当該信号線に直流成分を遮断し、伝送信号に基づく交流信号を通過させるキャパシタが接続された伝送路を介して受信した受信信号に基づき受信用クロック信号を再生し、上記伝送路を伝送された送信データを受信する送受信部を有し、上記送受信部は、上記伝送路を伝送された上記参照クロック信号もしくは送信データに応じて、クロック信号を生成するクロック再生回路を含み、生成しクロック信号の周波数が上記伝送路の信号周波数と異なるとき、上記伝送路に要求信号を片相信号または同相信号として上記伝送路に出力し、生成したクロック信号の周波数が上記伝送路の信号周波数に相当する場合には、所定のデータを両相信号または片相信号として上記伝送路に出力し、上記片相信号および上記両相信号を同時並列的に上記伝送路に伝送可能である。
【００１０】
本発明の第４の観点のデータ伝送方法は、一対の信号線により形成され、当該信号線に直流成分を遮断し、伝送信号に基づく交流信号を通過させるキャパシタが接続された伝送路を介して、送信クロック信号により設定された伝送レートで送信データを伝送する第１の送受信ステップと、上記伝送路を介して受信した受信信号に基づき受信用クロック信号を再生し、上記第１の送受信部から伝送された送信データを受信する第２の送受信ステップと、を有し、上記第１の送受信ステップは、選択制御信号に応じて上記送信データまたは参照クロック信号のいずれかを選択して上記伝送路に出力する出力ステップと、上記第２の送受信ステップにおいて上記伝送路を介して伝送される正相または逆相の片相信号、正相および逆相の両相信号を受信して、受信信号の電圧差に応じて片相信号および両相信号を分離して判別し、判別結果に応じて上記送信データまたは参照クロック信号を選択するように上記選択制御信号を生成する信号受信ステップと、を含み、上記第２の送受信ステップは、上記伝送路を伝送された上記参照クロック信号もしくは送信データに応じて、クロック信号を生成するクロック再生ステップを含み、生成しクロック信号の周波数が上記伝送路の信号周波数と異なるとき、上記伝送路に要求信号を片相信号または同相信号として上記伝送路に出力し、生成したクロック信号の周波数が上記伝送路の信号周波数に相当する場合には、所定のデータを両相信号または片相信号として上記伝送路に出力し、上記片相信号および上記両相信号を同時並列的に上記伝送路に伝送可能である。
【００１１】
本発明の第５の観点のデータ伝送方法は、一対の信号線により形成され、当該信号線に直流成分を遮断し、伝送信号に基づく交流信号を通過させるキャパシタが接続された伝送路を介して、送信クロック信号により設定された伝送レートで送信データを伝送し、上記伝送路を伝送されてきた信号を受信する送受信ステップを有し、上記送受信ステップは、選択制御信号に応じて上記送信データまたは参照クロック信号のいずれかを選択して上記伝送路に出力する出力ステップと、上記伝送路を介して伝送される正相または逆相の片相信号、正相および逆相の両相信号を受信して、受信信号の電圧差に応じて片相信号および両相信号を分離して判別し、判別結果に応じて上記送信データまたは参照クロック信号を選択するように上記選択制御信号を生成する信号受信ステップと、を含む。
【００１２】
本発明の第６の観点のデータ伝送方法は、一対の信号線により形成され、当該信号線に直流成分を遮断し、伝送信号に基づく交流信号を通過させるキャパシタが接続された伝送路を介して受信した受信信号に基づき受信用クロック信号を再生し、上記伝送路を伝送された送信データを受信する送受信ステップを有し、上記送受信ステップは、上記伝送路を伝送された上記参照クロック信号もしくは送信データに応じて、クロック信号を生成するクロック再生ステップを含み、生成しクロック信号の周波数が上記伝送路の信号周波数と異なるとき、上記伝送路に要求信号を片相信号または同相信号として上記伝送路に出力し、生成したクロック信号の周波数が上記伝送路の信号周波数に相当する場合には、所定のデータを両相信号または片相信号として上記伝送路に出力し、上記片相信号および上記両相信号を同時並列的に上記伝送路に伝送可能である。
【発明の効果】
【００１３】
本発明によれば、ＡＣ結合された一対のデータ伝送において、下り通信と合わせて上り通信として２種以上の信号の伝送が可能となる。
【図面の簡単な説明】
【００１４】
【図１】第１の実施形態に係るデータ伝送装置を示す回路図である。
【図２】位相比較回路の一構成例を示す回路図である
【図３】第２の実施形態に係るデータ伝送装置を示す回路図である。
【図４】第３の実施形態に係るデータ伝送装置を示す回路図である。
【図５】第４の実施形態に係るデータ伝送装置を示す回路図である。
【図６】第５の実施形態に係るデータ伝送装置を示す回路図である。
【発明を実施するための形態】
【００１５】
以下、本発明の実施形態を図面に関連付けて説明する。
なお、説明は以下の順序で行う。
１．第１の実施形態（データ伝送装置の第１の構成例）
２．第２の実施形態（データ伝送装置の第２の構成例）
３．第３の実施形態（データ伝送装置の第３の構成例）
４．第４の実施形態（データ伝送装置の第４の構成例）
５．第５の実施形態（データ伝送装置の第５の構成例）
【００１６】
＜１．第１の実施形態＞
図１は、本第１の実施形態に係るデータ伝送装置を示す回路図である。
本データ伝送装置１は、第１の送受信部１０、伝送路２０、および第２の送受信部３０を含んで構成されている。
本実施形態においては、第１の送受信部１０から伝送路２０を介して第２の送受信部３０に伝送される信号を下り信号ＤＳといい、第２の送受信部３０から伝送路２０を介して第１の送受信部１０に伝送される信号を上り信号ＵＳという。
【００１７】
第１の送受信部１０は、第１の送受信部１０における伝送データ／参照クロック信号の出力回路１００および上り信号受信部１１０を有している。
第２の送受信部３０は、第２の送受信部３０におけるクロック再生回路３００および下り信号受信部３２０を有している。
【００１８】
伝送路２０は、一対の信号線ＬＳＧＮ１，ＬＳＧＮ２により構成されている。
伝送路２０は、第１の送受信部１０との接続側の信号線ＬＳＧＮ１，ＬＳＧＮ２に、直流成分を遮断し、交流信号を通過させるＡＣ結合のためのキャパシタＣ１１，Ｃ１２が挿入されている。
伝送路２０は、第２の送受信部３０との接続側の信号線ＬＳＧＮ１，ＬＳＧＮ２に、直流成分を遮断し、交流信号を通過させるＡＣ結合のためのキャパシタＣ２１，Ｃ２２が挿入されている。
さらに、伝送路２０は、第２の送受信部３０の受信部端との接続部に、直流成分を遮断し、交流信号を通過させるＡＣ結合のためのキャパシタＣ３１，Ｃ３２が挿入されている。
【００１９】
データ伝送装置１においては、基本的に、第１の送受信部１０からＡＣ結合された１対の伝送路２０で高速下り信号を伝送し、第２の送受信部３０から参照クロック要求信号およびユーザー信号といった２種類以上の上り信号を同時並列的に伝送することを可能とする。
データ伝送装置１は、２種類以上の上り信号を、一方を片相（正相または逆相）のみ伝送、他方を両相（正相および逆相）に同相信号を伝送する。
本実施形態のデータ伝送装置１は、参照クロック要求信号を片相で伝送し、ユーザー信号を両相で伝送する。
上り通信において、第１の送受信部１０の上り信号の受信部では、正相と逆相間の電圧差に応じて、２種類以上の通信を分離する機能を含んで構成される。
【００２０】
ＡＣ結合後のデータは、ＤＣ情報を失うため、伝送できるパルス幅に限界がある。
本実施形態のデータ伝送装置１においては、上り信号ＵＳは下り信号ＤＳと分離するため、下りは差動、そして上りは同相信号を伝送する。
さらに上り信号ＵＳとしては、第２の送受信部３０が非同期時に片相の参照クロック要求信号を伝送し、同期時にユーザーからの制御情報等の両相のユーザー信号を伝送する。
【００２１】
第１の送受信部１０の出力回路１００は、Ｄ型フリップフロップ１０１、セレクタ１０２、分周器１０３、および差動ドライバー１０４を含んで構成されている。
上り信号受信部１１０は、差電圧検出回路１１１、第１のコンパレータ１１２、同相電圧検出回路１１３、第２のコンパレータ１１４、およびゲート１１５を有する。
【００２２】
フリップフロップ１０１のクロック信号入力端子に、図示しない送信クロック発生回路からの送信クロック信号ＴＣＫが入力され、データ入力端子に図示しない並列／直列変換回路からシリアルの送信データＳＤＡＴＡが入力される。
フリップフロップ１０１は、送信データをクロック信号ＴＣＫのタイミングで順次出力し、この出力データはセレクタ１０２の入力端子Ｔ０に入力される。
【００２３】
分周器１０３は、送信クロック信号ＴＣＫをＮ（Ｎは正整数である）分周して、分周信号を参照クロック信号ＴＣＫ／Ｎとして、セレクタ１０２の入力端子Ｔ１に入力する。
【００２４】
セレクタ１０２は、選択信号端子Ｓに入力された選択制御信号ＲＥＦＲＥＱのレベルに応じて、入力端子Ｔ０または入力端子Ｔ１の何れかに入力された信号を選択して、出力する。
たとえば、選択信号端子ＳにハイレベルＨの選択制御信号が入力されているとき、セレクタ１０２は入力端子Ｔ１に入力された信号を選択して出力する。逆に、選択信号端子ＳにローレベルＬの選択制御信号が入力されているとき、セレクタ１０２は入力端子Ｔ０に入力された信号を選択して出力する。
選択制御信号ＲＥＦＲＥＱは、第１のコンパレータ１１２の出力信号である。
選択制御信号ＲＥＦＲＥＱがハイレベルＨの場合には、参照クロック要求信号を受信したものとして、セレクタ１０２では送信クロック信号の参照クロック信号ＴＣＫ／Ｎが選択される。
選択制御信号ＲＥＦＲＥＱがローレベルＬの場合には、参照クロック要求信号を受信していないものとして、セレクタ１０２では送信データＳＤＡＴＡが選択される。
【００２５】
差動ドライバー１０４は、セレクタ１０２の出力信号を受けて、それに応じて対をなす差動信号を発生し、一対の信号線ＬＳＧＮ１，ＬＳＧＮ２からなる伝送路２０に出力する。
【００２６】
差電圧検出回路１１１は、受信した上り信号ＵＳの正相と逆相間の電圧差を検出して、上り信号ＵＳが参照クロック要求信号か、ユーザー信号であるかを判別し、判別結果に応じたレベルの信号Ｓ１１１として第１のコンパレータ１１２に出力する。
上り信号ＵＳがユーザー信号の場合、両相の信号であることから、その差電圧はゼロになる。この場合、差電圧検出回路１１１は、ほぼゼロレベルで信号Ｓ１１１を出力する。
上り信号ＵＳが参照クロック要求信号の場合、片相のみのため、正相と逆相間に差電圧が発生する。この場合、差電圧検出回路１１１は、閾値電圧ＶＲＥＦ１より高いハイレベルで信号Ｓ１１１を出力する。
【００２７】
第１のコンパレータ１１２は、差電圧検出回路１１１の判別信号Ｓ１１１とあらかじめ設定された閾値電圧ＶＲＥＦ１のレベルを比較する。
第１のコンパレータ１１１２は、判別信号Ｓ１１１のレベルが閾値電圧ＶＲＥＦ１より高い場合には、参照クロック要求信号を受信したものとして、選択制御信号ＲＥＦＲＥＱをハイレベルＨでセレクタ１０２およびゲート１１５に出力する。
第１のコンパレータ１１１２は、判別信号Ｓ１１１のレベルが閾値電圧ＶＲＥＦ１以下の場合には、参照クロック要求信号を受信していないものとして、選択制御信号ＲＥＦＲＥＱをローレベルＬでセレクタ１０２およびゲート１１５に出力する。
参照クロック要求時は、選択制御信号ＲＥＦＲＥＱがハイレベルＨとなるため、ゲート１１５で上り信号出力ＵＰＤＡＯはマスクされる。
【００２８】
同相電圧検出回路１１３は、伝送路２０に同相信号が印加されたとき、それを検出して、第２のコンパレータ１１４に出力する。
【００２９】
第２のコンパレータ１１４は、同相電圧検出回路１０６からの検出信号ＵＰＤＡＬと比較電圧ＶＣＯＭとを比較して、上りデータＵＰＤＡＯとしてゲート１１５に出力する。
【００３０】
上述したように構成された出力回路１００において、通常動作時に、伝送路２０に差動信号しか存在せず、差電圧検出回路１１１により、ローレベルの信号Ｓ１１１が出力される。
これにより、第１のコンパレータ１１２からローレベルの選択制御信号ＲＥＦＲＥＱが出力され、セレクタ１０２の選択信号端子Ｓに入力される。
これに応じて、セレクタ１０２により、入力端子Ｔ０に入力された信号が選択される。すなわち、フリップフロップ１０１から出力されたシリアルの送信データＳＤＡＴＡがセレクタ１０２により選択され、伝送路２０に出力される。
【００３１】
一方、第２の送受信部３０において、何らかの原因でＰＬＬ回路の同期がずれたとき、第２の送受信部３０のクロック再生回路３００により、同相信号である参照クロック信号の要求信号が発生され、伝送路２０に出力される。
これを受けて、第１の送受信部１０の上り信号受信部１１０において、差電圧検出回路１１１により、ハイレベルの検出信号が発生され、第１のコンパレータ１１２からハイレベルの選択制御信号ＲＥＦＲＥＱが出力される。
このハイレベルの選択制御信号ＲＥＦＲＥＱはセレクタ１０２の選択信号端子Ｓに入力される。これに応じて、セレクタ１０２により、入力端子Ｔ１に入力された信号が選択される。
すなわち、分周器１０３から出力された参照クロック信号ＴＣＫ／Ｎがセレクタ１０２により選択され、差動ドライバー１０４を介して伝送路２０に出力される。
【００３２】
クロック再生回路３００は、図示のように、電圧制御発振器（ＶＣＯ）３０１、ループフィルタ３０２、位相比較回路（ＰＤ）３０３、周波数比較回路（ＰＦＤ）３０４、および分周器３０５、３０６を有する。
クロック再生回路３００は、同期検出回路３０７、差動ドライバー３０８、セレクタ３０９、バッファとしての同相ドライバー３１０、およびスイッチ３１１を有する。
なお、分周器３０５の分周比は、第１の送受信部１０における分周器１０３の分周比と同様に設定されている。また、これらの分周回路の分周比がともに１に設定することができる。すなわち、これらの分周器は省略できる。
第１の送受信部１０および第２の送受信部３０にそれぞれ分周器１０３および３０５を設けることにより、参照クロック信号ＲＣＫ（ＴＣＫ/Ｎ）の周波数を低減でき、第２の送受信部３０の周波数比較回路３０４の動作周波数範囲を低減させることができる。
【００３３】
下り信号受信部３２０は、差動レシーバー３２１およびＤ型フリップフロップ３２２を有する。
【００３４】
位相比較回路３０３、周波数比較回路３０４、ループフィルタ３０２およびＶＣＯ３０１により、ＰＬＬ回路３３０が構成されている。
位相比較回路３０３は、差動レシーバー３２１からの受信信号である下り信号ＤＳ（Ｓ３２１）とＶＣＯ３０１からのクロック信号ＬＣＫの位相を比較し、比較結果に応じて、発振制御信号Ｓ３０３を発生し、ループフィルタ３０２に出力する。
【００３５】
図２は、位相比較回路３０３の一構成例を示す回路図である。
図２に示すように、本例の位相比較回路３０３は、位相比較器３０３１とロック検出器３０３２により構成されている。
【００３６】
位相比較器３０３１は、ＶＣＯ３０１により発生されたクロック信号ＬＣＫの位相と伝送路２０の伝送信号の位相とを比較して、比較結果に応じて、発振制御信号Ｓ３０３を出力する。
ロック検出器３０３２は、クロック信号ＬＣＫの同期状態を示すロック検出信号Ｓ３０３２を発生し、同期検出回路３０７に出力する。
なお、ロック検出器３０３２は、位相比較回路３０３と別々に設けることもできる。
【００３７】
周波数比較回路３０４は、分周器３０５からの分周信号の周波数と伝送路２０から伝送された参照クロック信号ＴＣＫ／Ｎ（ＲＣＫ）の周波数とを比較して、比較結果に応じて、発振制御信号Ｓ２を出力する。
【００３８】
ループフィルタ３０２は、位相比較回路３０３からの発振制御信号Ｓ３０３もしくは周波数比較回路３０４からの発振制御信号Ｓ３０４の高域成分、ノイズなどを除去し、低域成分のみをＶＣＯ３０１に出力する。
ＶＣＯ３０１は、ループフィルタ３０２からの発振制御信号Ｓ３０２を受けて、これに応じて、クロック信号ＬＣＫの周波数を制御する。
【００３９】
このように構成されたＰＬＬ回路３３０において、ＶＣＯ３０１により、第１の送受信部１０に用いられた送信クロック信号ＴＣＫと同じ周波数を有するクロック信号ＬＣＫ（ＴＣＫ）が得られる。
クロック信号ＬＣＫは、送信クロック信号ＴＣＫの再生信号として、送信データの受信あるいは第２の送受信部３０の同期制御に用いられる。
【００４０】
受信時に、差動レシーバー３２１は伝送路２０より伝送されてきた差動信号を受けて、それに応じて、受信信号Ｓ３２１を生成し、位相比較回路３０３および周波数比較回路３０４、並びにフリップフロップ３２２にそれぞれ出力する。
【００４１】
位相比較回路３０３および周波数比較回路３０４は、イネーブル付きであり、入力されたイネーブル信号のレベルに応じて、動作／非動作状態が設定される。
ここで、位相比較回路３０３および周波数比較回路３０４はともにローイネーブルとする。すなわち、イネーブル信号端子にローレベルの信号が入力されているときのみ動作し、それ以外のとき動作しない。
なお、位相比較回路３０３および周波数比較回路３０４の動作状態を制御するイネーブル信号ＥＮ１およびＥＮ２は差動ドライバー３０８により生成される。また、位相比較回路３０３にあるロック検出器３０３２は、位相比較回路３０３に入力されたイネーブル信号ＥＮ１に関係なく、動作状態に設定されている。
【００４２】
通常動作時に、差動ドライバー３０８により、それぞれローレベルのイネーブル信号ＥＮ１およびハイレベルのイネーブル信号ＥＮ２が生成されるので、位相比較回路３０３のみが動作状態に設定され、周波数比較回路３０４は非動作状態に設定される。
【００４３】
第２の送受信部３０において、初期化状態または通常受信動作時に、何らかの原因でＶＣＯ３０１により生成されたクロック信号ＬＣＫの周波数は第１の送受信部１０に用いられているクロック信号ＴＣＫの周波数と大きくずれることがある。
このとき、位相比較回路３０３に設けられているロック検出器３１２により、周波数ずれを示す、たとえば、ハイレベルのロック検出信号が発生され、同期検出回路３０７に出力される。
【００４４】
同期検出回路３０７は、ロック検出器３０３２からのロック検出信号Ｓ３０３２に応じて、同期制御信号ＬＯＣＫ（Ｓ３０７）を発生する。
たとえば、同期検出回路３０７はロック検出器３０３２からハイレベルのロック検出信号Ｓ３０３２が受けたとき、ハイレベルＨの同期制御信号ＬＯＣＫを発生し、差動ドライバー３０８、セレクタ３０９、およびスイッチ３１１にそれぞれ出力する。
なお、同期制御信号ＬＯＣＫは、たとえば、一定の時間幅を有するパルス信号である。
【００４５】
同期制御信号ＬＯＣＫを受けて、差動ドライバー３０８が、ハイレベルのイネーブル信号ＥＮ１とローレベルのイネーブル信号ＥＮ２を発生し、それぞれ位相比較回路３０３および周波数比較回路３０４に出力する。
これを受けて、位相比較回路３０３は非動作状態に設定され、周波数比較回路３０４は動作状態に設定される。
【００４６】
セレクタ３０９は、選択信号端子Ｓに供給される同期検出回路３０７による同期制御信号ＬＯＣＫがハイレベルＨの場合には、同期がとれているものとして上り信号ＵＳ２としてのユーザー信号を選択し、同相ドライバー３１０に出力する。
セレクタ３０９は、同期制御信号ＬＯＣＫがローレベルＬの場合には、同期がとれていないものとして、クロック信号ＬＣＫを分周回路３０５，３０６で分周した上り信号ＵＳ１としての参照クロック要求信号を選択し、同相ドライバー３１０に出力する。
【００４７】
ユーザー信号は、たとえばＵＡＲＴのように、データのないときは“Ｈｉｇｈ”に固定されているデータを想定しており、上り信号受信部１１２０の第２のコンパレータ１１４の比較電圧ＶＣＯＭは低めに設定され、Ｈｉｇｈが認識できるようになっている。
データのないときが“Ｌｏｗ”である場合には、逆に比較電圧ＶＣＯＭは高めに設定し、Ｌｏｗが認識できるようにする。
参照クロック要求信号は、ＰＬＬ回路３２０内のＶＣＯ３０１の出力を分周したクロック信号である。このクロック信号は非同期時にはＶＣＯ３０１の自走クロックとなる。
【００４８】
同相ドライバー３１０により、同相信号が発生され、伝送路２０に出力する。
このとき、同期制御信号ＬＯＣＫがハイレベルＨの場合にスイッチ３１１がオンし、セレクタ３０９で選択されたユーザー信号が両相（正相および逆相）として伝送路２０に伝送される。
このとき、伝送路２０を構成する一対の信号線の平均電圧がハイレベル、たとえば、１Ｖに保持される。
同期制御信号ＬＯＣＫがローレベルＬの場合にスイッチ３１１がオフし、セレクタ３０９で選択された参照クロック要求信号が片相（正相もしくは逆相）として伝送路２０に伝送される。
【００４９】
伝送路２０に片相の信号が出力されているとき、第１の送受信部１０の上り信号受信部１１０において、差電圧検出回路１１１によりハイレベルの検出信号Ｓ１１１が出力される。その結果、第１のコンパレータ１１２によりハイレベルの選択制御信号ＲＥＦＲＥＱが出力される。
これに応じて、セレクタ１０２により、分周器１０３からの参照クロックＴＣＫ／Ｎ（ＲＣＫ）が選択され、差動ドライバー１０４を介して、伝送路２０に出力される。
この参照クロック要求時は、選択制御信号ＲＥＦＲＥＱがハイレベルＨとなるため、ゲート１１５で上り信号出力ＵＰＤＡＯはマスクされる。
【００５０】
第２の送受信部３０の下り信号受信部３２０において、差動レシーバー３２１により、参照クロックＴＣＫ／Ｎ（ＲＣＫ）に同期した受信信号Ｓ３２１が出力される。
この信号は、ローレベルのイネーブル信号ＥＮ２により動作状態に設定されている周波数比較回路３０４に入力される。さらに、ＶＣＯ３０１により出力されたクロック信号ＬＣＫが分周器３０５により、Ｎ分周され、分周信号も周波数比較回路３０４に入力される。
【００５１】
周波数比較回路３０４により、受信信号Ｓ３２１と分周器３０５の分周信号の周波数が比較され、比較結果に応じて、発振制御信号Ｓ３０４が発生され、ループフィルタ３０２に出力される。
ループフィルタ３０２により、周波数比較回路３０４からの発振制御信号Ｓ３０４の高域成分、ノイズなどが除去され、低域成分のみがＶＣＯ３０１に出力される。
そして、ＶＣＯ３０１において、ループフィルタ３０２からの発振制御信号Ｓ３０２に応じて、クロック信号ＬＣＫの周波数が制御される。
【００５２】
このような制御により、分周回路３０５からの分周信号と参照クロックＴＣＫ／Ｎ（ＲＣＫ）の周波数が一致するようにＶＣＯ３０１の発振周波数が制御される。
これにより、ＶＣＯ３０１により発生されたクロック信号ＬＣＫの周波数は第１の送受信部１０に用いられている送信クロック信号ＴＣＫの周波数と一致する。
【００５３】
周波数が一致すると、位相比較回路３０３に設けられているロック検出器３０３２により、ハイレベルのロック検出信号Ｓ３０３２が生成され、同期検出回路３０７に出力される。
これに応じて、同期検出回路３０７によりハイレベルの同期制御信号ＬＯＣＫが出力されるので、セレクタ３０９の選択信号が参照クロック要求信号からユーザー信号に切り換わり、同相ドライバー３１０による片相信号の発生が停止される。このとき、スイッチ３１１がオフする。
これにより、第１の送受信部１０の差電圧検出回路１１１により、ローレベルの検出信号Ｓ１１１が出力され、第１のコンパレータ１１２により、ローレベルの選択制御信号ＲＥＦＲＥＱが発生され、セレクタ１０２の選択信号端子Ｓに入力される。
この結果、セレクタ１０２により、伝送路２０への出力信号は、参照クロック信号ＴＣＫ／Ｎから送信データＳＤＡＴＡに切り換えられる。
【００５４】
また、同期制御信号ＬＯＣＫがハイレベルＨの場合にスイッチ３１１がオンし、セレクタ３０９で選択されたユーザー信号が両相（正相および逆相）として伝送路２０に伝送されると、第１の送受信部１０では次のような処理が行われる。
同相電圧検出回路１１３では、伝送路２０に同相信号が印加されたことから、それを検出して、第２のコンパレータ１１４に出力する。
第２のコンパレータ１１４は、同相電圧検出回路１０６からの検出信号ＵＰＤＡＬと比較電圧ＶＣＯＭとを比較して、上りデータＵＰＤＡＯとしてゲート１１５を通して出力する。
【００５５】
第２の送受信部３０のクロック再生回路３００において、差動ドライバー３０８により、ローレベルのイネーブル信号ＥＮ１およびハイレベルのイネーブル信号ＥＮ２が発生され、それぞれ位相比較回路３０３および周波数比較回路３０４に出力される。
これにより、周波数比較回路３０４は非動作状態に切り換えられ、位相比較回路３０３は動作状態に切り換えられる。
【００５６】
すなわち、ＶＣＯ３０１により生成されたクロック信号ＬＣＫの周波数が第１の送受信部１０に用いられている送信クロック信号ＴＣＫの周波数と一致したとき、位相比較回路３０３、ループフィルタ３０２およびＶＣＯ３０１により構成されたＰＬＬ回路が動作する。
そして、ＶＣＯ３０１により生成されたクロック信号ＬＣＫの位相は差動レシーバー３２１から出力された受信信号Ｓ３２１の位相と一致するように制御が行われる。
【００５７】
そして、フリップフロップ３２２により、ＶＣＯ３０１により生成されたクロック信号ＬＣＫのタイミングに応じて、伝送路２０から伝送されてきたデータＳＤＡＴＡが順次出力される。
フリップフロップ３２１の出力データＳＤＡＴＡが第２の送受信部３０にある直列／並列変換回路により、たとえば、ｎビットのデータに変換され、出力される。
【００５８】
上述した動作により、第１の送受信部１０から送信されたデータが第２の送受信部３０により正確に受信される。
初期化の時または通常データ伝送中にノイズなどの原因で、第２の送受信部３０のクロック信号ＬＣＫの周波数が第１の送受信部１０に用いられている送信クロック信号ＴＣＫの周波数とずれたとき次の処理が行われる。
クロック再生回路３００により、セレクタ３０９で参照クロック信号ＲＣＫの送信を要求する信号が選択され、同相ドライバー３１０に同相信号が出力されるが、スイッチ３１１１がオフであることから、片相信号として伝送路２０に出力される。
第１の送受信部１０の上り信号受信部１１０において、片相信号である参照クロック要求信号が検出され、それに応じて、セレクタ１０２で送信信号が参照クロック信号ＴＣＫ／Ｎ（ＲＣＫ）に切り換えられ、伝送路２０に出力される。
【００５９】
第２の送受信部３０において、周波数比較回路３０４、ループフィルタ３０２およびＶＣＯ３０１により構成されたＰＬＬ回路により、分周器３０５の分周信号の周波数と参照クロック信号ＲＣＫの周波数と一致するまで発振周波数の制御が行われる。
周波数が一致すると、参照クロック要求信号の発生が停止し、第１の送受信部１０にて送信信号が通常の送信データＳＤＡＴＡに切り換えられる。
これと並行して、クロック再生回路３００において、位相比較回路３０３、ループフィルタ３０２およびＶＣＯ３０１により構成されたＰＬＬ回路により第１の送受信部１０に用いられている送信クロック信号ＴＣＫと同周波数のクロック信号ＬＣＫが発生される。これに基づき伝送路２０により伝送されてきたデータが受信される。
【００６０】
以上説明したように、本第１の実施形態によれば、以下の効果を得ることができる。
ＡＣ結合された一対のデータ伝送において、下り通信と合わせて上り通信として２種以上の信号の伝送が可能となる。
すなわち、本実施形態により、ＡＣ結合された伝送路において、簡易な構成で、2種類以上の上り通信を可能とし、システムの多様化に対応できる。
そして、広範囲な転送レートに対応でき、ＰＬＬ回路を素早く送信クロックにロックでき、伝送媒体を増加する必要がなく、簡単な回路構成で有効なクロック再生回路を実現できる。
【００６１】
＜２．第２の実施形態＞
図３は、本第２の実施形態に係るデータ伝送装置を示す回路図である。
【００６２】
本第２の実施形態に係るデータ伝送装置１Ａが第１の実施形態のデータ伝送装置１と異なる点は、上り信号ＵＳの参照クロック要求信号が、ＰＬＬ回路３３０とは、別に設けられた発振器（ＯＳＣ）３４０の出力クロックの分周クロックとしていることにある。
分周器３０６の分周値は１から任意の値を選ぶことが可能なため、発振器３４０の出力クロックそのものでも良い。
ＰＬＬ回路３３０が広範囲なレンジを確保するような場合、最低周波数時にクロック周期が遅くなりすぎ差電圧検出回路１１１内のホールド用容量等の面積が大きくなるような場合には本構成の方が上り信号ＵＳ１のクロック周期範囲を狭くできる分効果がある。
【００６３】
その他の構成は第１の実施形態と同様であり、第２の実施形態によれば、上記効果のほかに上述した第１の実施形態と同様の効果を得ることができる。
【００６４】
＜３．第３の実施形態＞
図４は、本第３の実施形態に係るデータ伝送装置を示す回路図である。
【００６５】
本第３の実施形態に係るデータ伝送装置１Ｂが第１の実施形態のデータ伝送装置１と異なる点は、上り信号ＵＳの参照クロック要求信号が、ＰＬＬ回路３３０とは、別に設けられたシステムクロック[System CLK]の分周クロックとしていることにある。
多様なシステム用に同装置内にシステムＣＬＫがある場合には、有用な方法で、クロック周期は一定にできるため、第２の実施形態の場合よりさらに効果がある。
【００６６】
その他の構成は第１の実施形態と同様であり、第３の実施形態によれば、上記効果のほかに上述した第１の実施形態と同様の効果を得ることができる。
【００６７】
＜４．第４の実施形態＞
図５は、本第４の実施形態に係るデータ伝送装置を示す回路図である。
【００６８】
本第４の実施形態に係るデータ伝送装置１Ｃが第１の実施形態のデータ伝送装置１と異なる点は、次の通りである。
本データ伝送装置１Ｃにおいては、同相ドライバー３１０Ｃが振幅を調整することができるように構成されており、上り信号ＵＳ１である参照クロック要求信号を伝送するときに、バッファである同相ドライバー３１０Ｃで振幅を大きくする。
これにより、上り信号受信部１２０の差電圧検出回路１１１での検出がしやすくなるという効果がある。
【００６９】
本第４の実施形態は、第１の実施形態の応用例として示したが、第２の実施形態および第３の実施形態においても、参照クロック要求時に、同様に上り信号ＵＳ１である参照クロック要求信号の振幅を大きくすることで、上記と同様の効果が得られる。
【００７０】
＜５．第５の実施形態＞
図６は、本第５の実施形態に係るデータ伝送装置を示す回路図である。
【００７１】
本第５の実施形態に係るデータ伝送装置１Ｄが第１の実施形態のデータ伝送装置１と異なる点は、次の通りである。
本データ伝送装置１Ｄにおいては、上り信号のバッファである同相ドライバー３１０の出力段にスルーレート調整部（Slew rate adjustor）３１２が配置されている。
【００７２】
スルーレート調整部３１２は、上り信号ＵＳ１である参照クロック要求信号を伝送するときのみ有効で、片相のみ伝送時に下り信号受信部３２０の差動レシーバー３２１への影響を軽減することが目的で配置される。
通常、上り通信は、下り通信に対し十分低速な信号（たとえば、上り通信  数Gbps, 下り通信  数Mbps）で、上り信号を片相のみ伝送時には、キャパシタＣ３１，Ｃ３２の容量を、低速信号を通さないように定数を決めても、なお多少の影響を及ぼすことがある。
そのため、その影響を軽減させるために、上り信号自体のスルーレートを落とす。
上り信号ＵＳ２は、ユーザー信号のため、伝送レートによってスルーレートに限界が出てくる。
これに対して、上り信号ＵＳ１は、分周器３０５，３０６のＮ１値およびＮ２値を自由に設定できるため、クロック周期を下げることが可能で、スルーレートを上り信号ＵＳ２よりも遅くすることが可能となる。
【００７３】
なお、本第５の実施形態は、第１の実施形態の応用例として示したが、第２の実施形態および第３の実施形態においても、同様に上り信号ＵＳ１のスルーレートを落とすことで、上記と同様の効果が得られる。
【００７４】
なお、本技術は以下のような構成をとることができる。
（１）一対の信号線により形成され、当該信号線に直流成分を遮断し、伝送信号に基づく交流信号を通過させるキャパシタが接続された伝送路と、
上記伝送路を介して、送信クロック信号により設定された伝送レートで送信データを伝送する第１の送受信部と、
上記伝送路を介して受信した受信信号に基づき受信用クロック信号を再生し、上記第１の送受信部から伝送された送信データを受信する第２の送受信部と、を有し、
上記第１の送受信部は、
選択制御信号に応じて上記送信データまたは参照クロック信号のいずれかを選択して上記伝送路に出力する出力回路と、
上記第２の送受信部から上記伝送路を介して伝送される正相または逆相の片相信号、正相および逆相の両相信号を受信して、受信信号の電圧差に応じて片相信号および両相信号を分離して判別し、判別結果に応じて上記送信データまたは参照クロック信号を選択するように上記選択制御信号を生成して上記出力回路に出力する信号受信部と、を含み、
上記第２の送受信部は、
上記伝送路を伝送された上記参照クロック信号もしくは送信データに応じて、クロック信号を生成するクロック再生回路を含み、生成しクロック信号の周波数が上記伝送路の信号周波数と異なるとき、上記伝送路に要求信号を片相信号または同相信号として上記伝送路に出力し、
生成したクロック信号の周波数が上記伝送路の信号周波数に相当する場合には、所定のデータを両相信号または片相信号として上記伝送路に出力し、
上記片相信号および上記両相信号を同時並列的に上記伝送路に伝送可能である
データ伝送装置。
（２）上記第２の送受信部は、
上記要求信号を片相信号または同相信号として上記伝送路に出力し、
所定のデータを両相信号として上記伝送路に出力し、
上記第１の送受信部の上記信号受信部は、
受信信号の差電圧が閾値より大きい場合には、片相信号を受信し参照クロックの要求信号を受信したと判別して、上記送信データに代えて上記要求信号を選択するように上記選択制御信号を上記出力回路に出力し、
受信信号の差電圧が閾値以下の場合には、両相信号を受信したと判別して、上記送信データを選択するように上記選択制御信号を上記出力回路に出力する
上記（１）記載のデータ伝送装置。
（３）上記第１の送受信部の上記信号受信部は、
同相信号を検出する同相信号検出部を含み、
上記同相信号検出部で同相信号を検出すると、上記第２の送受信部から伝送されたデータを出力する
上記（２）記載のデータ伝送装置。
（４）上記第１の送受信部の信号受信部は、
片相信号を受信したと判別して参照クロックを選択するように上記選択制御信号を生成した場合、上記同相信号検出部で同相信号が検出された場合であっても、上記第２の送受信部から伝送されたデータの出力を停止する
上記（３）記載のデータ伝送装置。
（５）上記第２の送受信部は、
上記片相信号のみ伝送する場合には、当該片相信号の振幅を大きくするバッファを含む
上記（１）から（４）のいずれか一に記載のデータ伝送装置。
（６）上記第２の送受信部は、
上記片相信号のみ伝送する場合には、当該片相信号のスルーレートを鈍らせるスルーレート調整部を含む
上記（１）から（４）のいずれか一に記載のデータ伝送装置。
（７）上記第２の送受信部は、
上記参照クロックの要求信号として、自伝送装置内のＰＬＬ回路の発振器のクロックまたはその分周クロックを伝送する
（１）から（６）のいずれか一に記載のデータ伝送装置。
（８）上記第２の送受信部は、
上記参照クロックの要求信号として、自伝送装置内のＰＬＬ回路の発振器とは個別の発振器のクロックまたはその分周クロックを伝送する
上記（１）から（６）のいずれか一に記載のデータ伝送装置。
（９）上記第２の送受信部は、
上記参照クロックの要求信号として、自伝送装置内のシステムクロックまたはその分周クロックを伝送する
上記（１）から（６）のいずれか一に記載のデータ伝送装置。
（１０）一対の信号線により形成され、当該信号線に直流成分を遮断し、伝送信号に基づく交流信号を通過させるキャパシタが接続された伝送路を介して、送信クロック信号により設定された伝送レートで送信データを伝送し、上記伝送路を伝送されてきた信号を受信する送受信部を有し、
上記送受信部は、
選択制御信号に応じて上記送信データまたは参照クロック信号のいずれかを選択して上記伝送路に出力する出力回路と、
上記伝送路を介して伝送される正相または逆相の片相信号、正相および逆相の両相信号を受信して、受信信号の電圧差に応じて片相信号および両相信号を分離して判別し、判別結果に応じて上記送信データまたは参照クロック信号を選択するように上記選択制御信号を生成して上記出力回路に出力する信号受信部と、を含む
データ伝送装置。
（１１）上記伝送路を伝送されてくる信号は、片相信号または同相信号の要求信号、または両相信号の所定のデータであり、
上記信号受信部は、
受信信号の差電圧が閾値より大きい場合には、片相信号を受信し参照クロックの要求信号を受信したと判別して、上記送信データに代えて上記要求信号を選択するように上記選択制御信号を上記出力回路に出力し、
受信信号の差電圧が閾値以下の場合には、両相信号を受信したと判別して、上記送信データを選択するように上記選択制御信号を上記出力回路に出力する
上記（１０）記載のデータ伝送装置。
（１２）上記信号受信部は、
同相信号を検出する同相信号検出部を含み、
上記同相信号検出部で同相信号を検出すると、上記第２の送受信部から伝送されたデータを出力する
上記（１１）記載のデータ伝送装置。
（１３）上記信号受信部は、
片相信号を受信したと判別して参照クロックを選択するように上記選択制御信号を生成した場合、上記同相信号検出部で同相信号が検出された場合であっても、上記第２の送受信部から伝送されたデータの出力を停止する
上記（１２）記載のデータ伝送装置。
（１４）一対の信号線により形成され、当該信号線に直流成分を遮断し、伝送信号に基づく交流信号を通過させるキャパシタが接続された伝送路を介して受信した受信信号に基づき受信用クロック信号を再生し、上記伝送路を伝送された送信データを受信する送受信部を有し、
上記送受信部は、
上記伝送路を伝送された上記参照クロック信号もしくは送信データに応じて、クロック信号を生成するクロック再生回路を含み、生成しクロック信号の周波数が上記伝送路の信号周波数と異なるとき、上記伝送路に要求信号を片相信号または同相信号として上記伝送路に出力し、
生成したクロック信号の周波数が上記伝送路の信号周波数に相当する場合には、所定のデータを両相信号または片相信号として上記伝送路に出力し、
上記片相信号および上記両相信号を同時並列的に上記伝送路に伝送可能である
データ伝送装置。
（１５）上記送受信部は、
上記片相信号のみ伝送する場合には、当該片相信号の振幅を大きくするバッファを含む
上記（１４）記載のデータ伝送装置。
（１６）上記送受信部は、
上記片相信号のみ伝送する場合には、当該片相信号のスルーレートを鈍らせるスルーレート調整部を含む
上記（１４）に記載のデータ伝送装置。
（１７）一対の信号線により形成され、当該信号線に直流成分を遮断し、伝送信号に基づく交流信号を通過させるキャパシタが接続された伝送路を介して、送信クロック信号により設定された伝送レートで送信データを伝送する第１の送受信ステップと、
上記伝送路を介して受信した受信信号に基づき受信用クロック信号を再生し、上記第１の送受信部から伝送された送信データを受信する第２の送受信ステップと、を有し、
上記第１の送受信ステップは、
選択制御信号に応じて上記送信データまたは参照クロック信号のいずれかを選択して上記伝送路に出力する出力ステップと、
上記第２の送受信ステップにおいて上記伝送路を介して伝送される正相または逆相の片相信号、正相および逆相の両相信号を受信して、受信信号の電圧差に応じて片相信号および両相信号を分離して判別し、判別結果に応じて上記送信データまたは参照クロック信号を選択するように上記選択制御信号を生成する信号受信ステップと、を含み、
上記第２の送受信ステップは、
上記伝送路を伝送された上記参照クロック信号もしくは送信データに応じて、クロック信号を生成するクロック再生ステップを含み、生成しクロック信号の周波数が上記伝送路の信号周波数と異なるとき、上記伝送路に要求信号を片相信号または同相信号として上記伝送路に出力し、
生成したクロック信号の周波数が上記伝送路の信号周波数に相当する場合には、所定のデータを両相信号または片相信号として上記伝送路に出力し、
上記片相信号および上記両相信号を同時並列的に上記伝送路に伝送可能である
データ伝送方法。
（１８）一対の信号線により形成され、当該信号線に直流成分を遮断し、伝送信号に基づく交流信号を通過させるキャパシタが接続された伝送路を介して、送信クロック信号により設定された伝送レートで送信データを伝送し、上記伝送路を伝送されてきた信号を受信する送受信ステップを有し、
上記送受信ステップは、
選択制御信号に応じて上記送信データまたは参照クロック信号のいずれかを選択して上記伝送路に出力する出力ステップと、
上記伝送路を介して伝送される正相または逆相の片相信号、正相および逆相の両相信号を受信して、受信信号の電圧差に応じて片相信号および両相信号を分離して判別し、判別結果に応じて上記送信データまたは参照クロック信号を選択するように上記選択制御信号を生成する信号受信ステップと、を含む
データ伝送方法。
（１９）一対の信号線により形成され、当該信号線に直流成分を遮断し、伝送信号に基づく交流信号を通過させるキャパシタが接続された伝送路を介して受信した受信信号に基づき受信用クロック信号を再生し、上記伝送路を伝送された送信データを受信する送受信ステップを有し、
上記送受信ステップは、
上記伝送路を伝送された上記参照クロック信号もしくは送信データに応じて、クロック信号を生成するクロック再生ステップを含み、生成しクロック信号の周波数が上記伝送路の信号周波数と異なるとき、上記伝送路に要求信号を片相信号または同相信号として上記伝送路に出力し、
生成したクロック信号の周波数が上記伝送路の信号周波数に相当する場合には、所定のデータを両相信号または片相信号として上記伝送路に出力し、
上記片相信号および上記両相信号を同時並列的に上記伝送路に伝送可能である
データ伝送方法。
【符号の説明】
【００７５】
１０・・・第１の送受信部、２０・・・伝送路、３０・・・第２の送受信部、１００・・・第１の送受信部の出力回路、１０１・・・フリップフロップ、１０２・・・セレクタ、１０３・・・分周器、１０４・・・差動ドライバー、１１０・・・上り信号受信部、１１１・・・差電圧検出回路、１１２・・・第１のコンパレータ、１１３・・・同相電圧検出回路、１１４・・・第２のコンパレータ、１１５・・・ゲート、３００・・・クロック再生回路、３０１・・・電圧制御発振器（ＶＣＯ）、３０２・・・ループフィルタ、３０３・・・位相比較回路、３０３・・・周波数比較回路、３０５，３０６・・・分周器、３０７・・・同期検出回路、３０８・・・差動ドライバー、３０９・・・セレクタ、３１０，３０Ｃ・・・同相ドライバー、３１１・・・スイッチ、３１２・・・スルーレート調整部、３２０・・・下り信号受信部、３２１・・・差動レシーバー、３２２・・・フリップフロップ、３３０・・・ＰＬＬ回路、３４０・・・発振器。
【図１】
2013162160.tif 000003
【図２】
2013162160.tif 000004
【図３】
2013162160.tif 000005
【図４】
2013162160.tif 000006
【図５】
2013162160.tif 000007
【図６】
2013162160.tif 000008